(57)【要約】      （修正有）【課題】被照射箇所に十分な照度が得られるライト保持具を提供する。【解決手段】ライト保持具は、前端に圧縮エアーを放出するノズル３を有し、中央部に圧縮エアーの放出を操作する操作部４を有するガン本体２を備えるスプレーガン１に取り付けられるライト保持具１０等であって、操作部４の前方に取り付けられ、ライトを保持する。【選択図】図１
0003181086.tif 000002
【実用新案登録請求の範囲】
【請求項１】
前端に圧縮エアーを放出するノズルを有し、中央部に前記圧縮エアーの放出を操作する操作部を有するガン本体を備えるスプレーガンに取り付けられるライト保持具であって、
前記操作部の前方に取り付けられ、ライトを保持するライト保持具。
【請求項２】
前記ライトを着脱自在に保持する請求項１に記載のライト保持具。
【請求項３】
前記ライトを回転できるように形成される請求項１又は２に記載のライト保持具。
【請求項４】
前記ガン本体は、前記操作部の前方に、前記圧縮エアーの放出方向の延長線に沿って延びるガイド部を備え、
前記ライト保持具は、前記ガイド部に沿って移動可能に取り付けられる請求項１〜３のいずれか一項に記載のライト保持具。
【請求項５】
前記ライト保持具は、ライト保持部と、ガン本体保持部とを備え、
前記ライト保持部は、前記ライトを内部に収容可能な断面Ｃ字状を呈する弾性部材から形成され、
前記ガン本体保持部は、前記ガン本体を内部に収容可能な断面Ｃ字状を呈する弾性部材から形成され、
前記ライト保持部と前記ガン本体保持部とは、それぞれ開口の反対側の部分がユニバーサルジョイントにより連結されている請求項１〜３のいずれか一項に記載のライト保持具。
【請求項６】
前記ライト保持具は、ライト保持部と、ガン本体保持部とを備え、
前記ライト保持部は、前記ライトを挟み込む一対の保持部材からなり、
前記ガン本体保持部は、前記ガイド部に摺動自在に嵌合される土台と、前記土台に対して回転可能に取り付けられて、前記一対の保持部材に連結される連結台とからなり、
前記連結台は、前記ライト保持部側に突出する第１接合板を備え、
前記一対の保持部材は、前記第１接合板を挟み込む第２接合板及び第３接合板を備え、
前記第１接合板、第２接合板及び第３接合板が締結部材により締結されることで、前記一対の保持部材は固定され、且つ、前記一対の保持部材と前記連結台とが連結され、
前記締結部材の締結を緩めることで、前記一対の保持部材から前記ライトを取り外し可能になり、
前記ライト保持部は、前記締結部材の軸周りに回転可能であり、
前記連結台の回転軸は、前記締結部材の軸に対して直交する請求項４に記載のライト保持具。
【請求項７】
請求項１〜６のいずれか一項に記載のライト保持具と、
前記ライト保持具によって保持されるライトとを備える照明器具。
【請求項８】
前記ライトを保持する請求項１〜６のいずれか一項にライト保持具が取り付けられるスプレーガン。
【考案の詳細な説明】
【技術分野】
【０００１】
本考案は、ライト保持具及びライト保持具が取り付けられたスプレーガンに関するものである。
【背景技術】
【０００２】
従来から、例えば製品加工を行う過程で切り屑を吹き飛ばすために、コンプレッサから供給された圧縮エアーを放出する装置が使用されている。このような装置として、圧縮エアーを放出するノズル及び圧縮エアーの放出を操作する操作部を本体部に有するスプレーガンが知られている。また、この種のスプレーガンとして、特許文献１には、特に暗所での作業に適するように、ガン本体にライトを取り付けたスプレーガンが提案されている。このようなスプレーガンは、圧縮エアーの吹き付け箇所をライトで照射できるため、暗所での作業において別途ライトを用いて光を照射させる必要がなくなり、作業が容易に行えていた。
【先行技術文献】
【特許文献】
【０００３】
【特許文献１】実開平３−１１４８２号
【考案の概要】
【考案が解決しようとする課題】
【０００４】
しかしながら、特許文献１に開示されているスプレーガンは、ガン本体にライトが取り付けられているものの、ライトの位置が操作部の後側であるため、圧縮エアーの吹き付け箇所（被照射箇所）とライトとの距離が離れ、被照射箇所の照度が不十分であるという問題が生じていた。
【０００５】
本考案は、上記課題を解決するためになされたものであり、被照射箇所に十分な照度が得られるライト保持具及びライト保持具が取り付けられたスプレーガンを提供する。
【課題を解決するための手段】
【０００６】
本考案のライト保持具は、前端に圧縮エアーを放出するノズルを有し、中央部に前記圧縮エアーの放出を操作する操作部を有するガン本体を備えるスプレーガンに取り付けられるライト保持具であって、前記操作部の前方に取り付けられ、ライトを保持する。
【０００７】
この構成を有することにより、ライトがライト取付具によってガン本体に設けられた操作部の前側に取り付けられることとなる。これにより、被照射箇所とライトとの距離が近くなり、被照射箇所を十分な照度で照射することができる。
【０００８】
また、上記ライト保持具は、ライトを着脱自在に保持することができる。これにより、ライトの色を変えるために交換する場合や、ライトが消耗して交換が必要となった場合等に、ライト保持具をガン本体に取り付けたままで、ライトのみを交換することが可能となる。
【０００９】
また、上記ライト保持具は、ライトを回転できるように形成されても良い。これにより、ライトの照射箇所を変えることができ、被照射箇所にピンポイントで光を照射することができる。
【００１０】
また、上記ライト保持具において、ガン本体は、操作部の前方に、圧縮エアーの放出方向の延長線に沿って延びるガイド部を備え、ライト保持具は、ガイド部に沿って移動可能に取り付けられても良い。このようなライト保持具を用いることで、ライト保持具を介してライトを被照射箇所に近づけたり遠ざけたりすることができる。これにより、高照度が要求される箇所では、ライト保持具を前方に移動させてライトを被照射箇所に近づけることにより、より明るい光を照射することができる。
【００１１】
また、上記ライト保持具は、ライト保持部とガン本体保持部とを備え、ライト保持部が、ライトを内部に収容可能な断面Ｃ字状を呈する弾性部材から形成され、ガン本体保持部が、ガン本体を内部に収容可能な断面Ｃ字状を呈する弾性部材から形成され、ライト保持部とガン本体保持部とは、それぞれ開口の反対側の部分がユニバーサルジョイントにより連結されるように構成されても良い。
【００１２】
また、上記ライト保持具は、ライト保持部とガン本体保持部とを備え、ライト保持部が、ライトを挟み込む一対の保持部材からなり、ガン本体保持部が、ガイド部に摺動自在に嵌合される土台と、土台に対して回転可能に取り付けられて、一対の保持部材に連結される連結台とからなり、連結台が、ライト保持部側に突出する第１接合板を備え、一対の保持部材が、第１接合板を挟み込む第２接合板及び第３接合板を備え、第１接合板、第２接合板及び第３接合板が締結部材により締結されることで、一対の保持部材は固定され、且つ、一対の保持部材と連結台とが連結され、締結部材の締結を緩めることで、一対の保持部材からライトを取り外し可能になり、ライト保持部が、締結部材の軸周りに回転可能であり、連結台の回転軸が、締結部材の軸に対して直交するように構成されても良い。
【００１３】
また、本考案の照明器具は、上記ライト保持具と、ライト保持具によって保持されるライトとを備える。また、本考案のスプレーガンは、ライトを保持する上記ライト保持具が取り付けられる。
【考案の効果】
【００１４】
本考案によれば、被照射箇所に十分な照度を得ることができる。
【図面の簡単な説明】
【００１５】
【図１】本考案のスプレーガンの第１実施形態を示す側面図である。
【図２】図１のスプレーガンのライト保持具の正面図である。
【図３】図１のスプレーガンのライト保持具の側面図である。
【図４】本考案のスプレーガンの第２実施形態を示す側面図である。
【図５】図４のスプレーガンのライト保持具の正面図である。
【図６】図４のスプレーガンのライト保持具の側面図である。
【図７】本考案のスプレーガンの第３実施形態を示す側面図である。
【図８】図７のスプレーガンのライト保持具の正面図である。
【図９】図７のスプレーガンのライト保持具の側面図である。
【図１０】本考案のスプレーガンの第４実施形態を示す側面図である。
【図１１】図１０のスプレーガンのライト保持具の正面図である。
【図１２】図１０のスプレーガンのライト保持具の側面図である。
【考案を実施するための形態】
【００１６】
以下、本考案に係るスプレーガンの一実施形態について、添付図面を参照して説明する。
【００１７】
まず、本考案のスプレーガンの第１実施形態について、図１〜図３を参照して説明する。図１に示すように、スプレーガン１は、ガン本体２と、圧縮エアーを放出するノズル３と、ノズル３からの圧縮エアーの放出を操作する操作部４とを備える。以下では、スプレーガン１においてノズル３が設けられる側を前方として前後方向を定義する。また、図１視を基準に上下方向を定義し、前後方向及び上下方向に直交する方向を左右方向と定義する。この点は、本明細書を通じて同義である。
【００１８】
スプレーガン１は、一般の市場で販売されている、例えばダスターガン等を使用することができる。スプレーガン１は、くの字状を呈し、前端にノズル３が形成され、ガン本体２の後端下部に接続口５が形成されており、ホース（図示せず）を介して接続口５がコンプレッサ（図示せず）と接続されている。そして、コンプレッサで圧縮されて送り出された圧縮エアーが、接続口５を介してガン本体２内に供給され、ノズル３から放出されるようになっている。
【００１９】
スプレーガン１は、前後方向の略中央付近に、ノズル３から圧縮エアーを放出するための操作部４が設けられている。この操作部４は、例えば、図１に示すようなレバーの形状で、そのレバーを引くことにより圧縮エアーを放出するように構成することができる。また、ボタンの形状で、そのボタンを押し込むことにより圧縮エアーを放出するように構成することもできる。また、ガン本体２において、操作部４から後側の部分は、使用者がスプレーガン１を把持する部分となっている。
【００２０】
さらに、スプレーガン１には、操作部４の前方、すなわち、ガン本体２の前側にライト６が取り付けられている。ライト６は、一般に市場で販売されている小型の懐中電灯等を用いることができ、前面６ａに電球が取り付けられている。ライト６に設けられているスイッチ６ｂを入れることで、電球から光が照射される。ここで、電球としてＬＥＤ電球を用いることもできる。この場合、電球の寿命が長くなり、電球交換等の保守の手間を省くことができる。また、ＬＥＤ電球は発光効率が高いため、消費電力を抑えることができる。
【００２１】
ライト６は、ライト保持具１０を用いてガン本体２に取り付けられる。ここで、ライト６とライト保持具１０とを併せて、照明器具８と呼ぶ。図２及び図３に示すように、ライト保持具１０は、ライト６を保持するライト保持部１１と、ガン本体２に取り付けられるガン本体保持部１２とから形成されている。
【００２２】
ライト保持部１１は、弾性を有する板材を断面略Ｃ字状に湾曲させて形成されている。上部に開口１１ａを有しており、下部に支柱１１ｂを介してボール１３が取り付けられている。ライト保持部１１は、断面略Ｃ字状に湾曲された内部にライト６の中央部６ｃを収容できる大きさに形成されており、開口１１ａを開いてライト６を押し込む又は引き抜くことでライト６を着脱自在に保持している。
【００２３】
ガン本体保持部１２は、弾性を有する板材を断面略Ｃ字状に湾曲させて形成されている。下部に開口１２ａを有しており、上部には、ライト保持部１１に取り付けられているボール１３を受け入れることができるボール受け１４が一体的に形成されている。ガン本体保持部１２は、断面略Ｃ字状に湾曲された内部にガン本体２の先端部２ａを収容できる大きさに形成されており、開口１２ａを開いてガン本体２を押し込む又は引き抜くことによりガン本体２を着脱自在に保持している。
【００２４】
ライト保持部１１とガン本体保持部１２とは、例えば、ユニバーサルジョイント等を用いて連結することができる。具体的には、図２及び図３に示すように、ボール１３をボール受け１４に嵌め込むことにより連結されている。これにより、ライト保持部１１が保持するライト６を、ガン本体保持部１２が保持するガン本体２に対して上下左右方向に自在に回転させることができる。なお、図２及び図３では、ライト保持部１１の開口１１ａとガン本体保持部１２の開口１２ａとが互いに反対方向を向いているが、開口１１ａ及び開口１２ａは、ライト保持部１１とガン本体保持部１２とが連結される部分以外に設けられれば良い。
【００２５】
以上のように、本実施形態によれば、ライト６が操作部４の前方に取り付けられるため、被照射箇所との距離が縮まり、被照射箇所に十分な照度の光を照射することができる。また、ライト保持具１０を用いてライト６を着脱自在に取り付けているため、ライト６の色を変えるために交換する場合や、ライト６が消耗して交換が必要となった場合等に、ライト保持具１０をガン本体２に取り付けたままライト６のみを交換することができる。さらに、ライト保持部１１とガン本体保持部１２との間が例えばユニバーサルジョイント等を用いて上下左右方向に回転可能に連結されているため、ライト６を、圧縮エアーの放出方向の延長線に対して上下左右方向に回転させることができる。これにより、ライト６の照射箇所を微調整して被照射箇所にピンポイントで合わせることができる。
【００２６】
次に、本考案に係るスプレーガン１の第２実施形態について、図４〜図６を参照して以下に説明する。なお、上記第１実施形態に係るスプレーガン１と同一の構成については、同一の符号を付し、詳細な説明は省略する。
【００２７】
図４に示すように、第２実施形態に係るスプレーガン１は、ガン本体２及びガン本体２にライト６が取り付けられる構成は第１実施形態と同一であり、ライト６を取り付けるためのライト保持具２０の構成が第１実施形態と異なる。図５及び図６に示すように、ライト保持具２０は、ライト６を保持するライト保持部２１と、ガン本体２を保持するガン本体保持部２２とから形成されている。
【００２８】
ライト保持部２１は、一対の保持部材２１１，２１２から形成されている。保持部材２１１，２１２は、断面略半円形となるように左右方向に湾曲させて形成された湾曲板２１１ａ，２１２ａと、その湾曲板２１１ａ，２１２ａの上端縁の中央付近から上方に延びる固定板２１１ｂ，２１２ｂと、その湾曲板２１１ａ，２１２ａの下端縁の中央付近から下方に延びる接合板２１１ｃ，２１２ｃとが一体に形成されている。そして、保持部材２１１の湾曲板２１１ａと保持部材２１２の湾曲板２１２ａとの間でライト６の中央部６ｃを挟み込んで保持できるようになっている。また、ライト６を保持した状態で、保持部材２１１の固定板２１１ｂと保持部材２１２の固定板２１２ｂとが対向し、保持部材２１１の接合板２１１ｃと保持部材２１２の接合板２１２ｃとが対向するようになっている。
【００２９】
ガン本体保持部２２は、板材を断面略Ｃ字状に湾曲させて形成され、下部に開口を有している。開口の端縁には、中央付近に互いに対向するように固定板２２ａ，２２ｂが形成されており、上部には接合板２２ｃが形成されている。そして、断面略Ｃ字状に湾曲された内部にガン本体２を収容できるようになっている。
【００３０】
各固定板２１１ｂ，２１２ｂ，２２ａ，２２ｂ及び各接合板２１１ｃ，２１２ｃ，２２ｃには、ボルト及びナットが貫通可能な孔が形成されている。ライト６は、一対の湾曲板２１１ａ，２１２ａの間にライト６の中央部６ｃを挟んだ状態で、一対の固定板２１１ｂ，２１２ｂをボルト２３ａ及びナット２４ａで固定すると共に、ライト保持部２１の一対の接合板２１１ｃ，２１２ｃをボルト２３ｂ及びナット２４ｂで固定することで着脱自在に保持されている。この時、ライト保持部２１の一対の接合板２１１ｃ，２１２ｃの間に、ガン本体保持部２２の接合板２２ｃを差し込んで、ボルト２３ｂ及びナット２４ｂで固定することで、ライト保持部２１とガン本体保持部２２とが連結されている。また、ガン本体２には、ガン本体保持部２２の断面略Ｃ字状に湾曲された内部にガン本体２の先端部２ａを挿入した状態で、一対の固定板２２ａ，２２ｂをボルト２３ｃ及びナット２４ｃで固定することで着脱自在に取り付けられている。
【００３１】
以上のように、本実施形態によれば、第１実施形態と同様に、ライト６が操作部４の前方に取り付けられるため、被照射箇所との距離が縮まり、被照射箇所に十分な照度の光を照射することができる。また、ライト保持具２０を用いてライト６を着脱自在に取り付けているため、ライト６の色を変えるために交換する場合や、ライト６が消耗して交換が必要となった場合等に、ライト保持具２０をガン本体２に取り付けたままライト６のみを交換することができる。さらに、ライト保持具２０は、ボルト２３ｂ及びナット２４ｂでライト保持部２１とガン本体保持部２２とを連結しているため、ボルト２３ｂを軸としてライト６をガン本体２に対して上下方向に回転させることができる。これにより、ライト６の照射箇所を必要に応じて微調整することができる。
【００３２】
次に、本考案に係るスプレーガン１の第３実施形態について、図７〜図９を参照して以下に説明する。なお、上記第１実施形態に係るスプレーガン１と同一の構成については、同一の符号を付し、詳細な説明は省略する。
【００３３】
図７に示すように、第３実施形態に係るスプレーガン１は、ガン本体２及びガン本体２にライト６が取り付けられる構成は第１実施形態と同一であり、ライト６を取り付けるためのライト保持具３０の構成が第１実施形態と異なる。図８及び図９に示すように、ライト保持具３０は、ライト６を保持するライト保持部３１と、ガン本体２を保持するガン本体保持部３２とが一体形成されてなる。具体的には、ライト保持部３１及びガン本体保持部３２は共に、ブロック状に形成され、ライト保持部３１の下面とガン本体保持部３２の上面とが一体になっている。
【００３４】
ライト保持部３１は、ライト保持具３０をガン本体２に取り付けた時に前後方向となる方向に貫通孔３１ａが形成されている。そして、ライト保持部３１の上面から貫通孔３１ａにネジ３３が差し通されている。ネジ３３の下端にはライト６を固定するライト固定部材３４が取り付けられている。ライト６は、貫通孔３１ａを通してライト保持部３１内に挿入され、ネジ３３を締めることで、ライト６の中央部６ｃがライト固定部材３４に押さえつけられて取り付けられる。
【００３５】
ガン本体保持部３２は、ライト保持部３１の貫通孔３１ａと平行になるように、貫通孔３２ａが形成されている。この貫通孔３２ａに中空ボルト３５を挿入し、中空ボルト３５の先端に形成されているネジ３５ａによってガン本体２の先端部２ｂに取り付けられている。この時、ノズル３は、ガン本体保持部３２のさらに前方に取り付けられる。そして、圧縮エアーは、中空ボルト３５内を通過し、ノズル３に供給される。
【００３６】
以上のように、本実施形態によれば、第１実施形態と同様に、ライト６が操作部４の前方に取り付けられるため、被照射箇所との距離が縮まり、被照射箇所に十分な照度の光を照射することができる。また、ネジ３３を締めたり緩めたりすることで、ライト保持具３０にライト６が着脱自在に取り付けられているため、ライト６の色を変えるために交換する場合や、ライト６が消耗して交換が必要となった場合等に、ライト保持具３０をガン本体２に取り付けたままライト６のみを交換することができる。さらに、ライト保持具３０でライト６をガン本体２に取り付けると、ライト保持部３１とガン本体保持部３２との間に連結部材が設けられないため、ライト６の位置をノズル３に近づけることができる。これにより、被照射箇所により近い箇所に平行に光を照射することができる。
【００３７】
次に、本考案に係るスプレーガン１の第４実施形態について、図１０〜図１２を参照して以下に説明する。なお、上記第１実施形態に係るスプレーガン１と同一の構成については、同一の符号を付し、詳細な説明は省略する。
【００３８】
図１０に示すように、第４実施形態に係るスプレーガン１は、ガン本体２にライト６が取り付けられる構成は第１実施形態と同一である。第４実施形態では、ライト６を取り付けるためのライト保持具４０の構成が第１実施形態と異なっており、ガン本体２の先端部２ａの上面及び下面にガイド部７が一体に形成され、そのガイド部７に沿って移動可能にライト保持具４０が取り付けられる構成となっている。ガイド部７は、断面略Ｔ字状に形成されており、圧縮エアーの放出方向の延長線に沿って、ガン本体２の先端部から操作部４の近傍まで延びている。また、ガン本体２の後部上面にクリップ８が設けられている。これにより、現場作業の過程において、スプレーガン１に設けられているライト６を使用して、ライト６を照射しながら両手を使用する作業を行う際に、クリップ８によってスプレーガン１を固定した状態でライト６を所望の場所に照射させることができ、作業効率を図ることができる。
【００３９】
ライト保持具４０は、ライト６を保持するライト保持部４１と、ガン本体２を保持するガン本体保持部４２とから形成されている。ライト保持部４１は、第２実施形態のライト保持部２１と同様で、一対の保持部材４１１，４１２から形成されている。保持部材４１１，４１２は、断面略半円形となるように左右方向に湾曲させて形成された湾曲板４１１ａ，４１２ａと、その湾曲板４１１ａ，４１２ａの上端縁の中央付近から上方に延びる固定板４１１ｂ，４１２ｂと、その湾曲板４１１ａ，４１２ａの下端縁の中央付近から下方に延びる第２接合板４１１ｃ及び第３接合板４１２ｃとが一体に形成されている。そして、保持部材４１１の湾曲板４１１ａと保持部材４１２の湾曲板４１２ａとの間でライト６の中央部６ｃを挟み込んで保持できるようになっている。また、ライト６を保持した状態で、保持部材４１１の固定板４１１ｂと保持部材４１２の固定板４１２ｂとが対向し、保持部材４１１の第２接合板４１１ｃと保持部材４１２の第３接合板４１２ｃとが対向するようになっている。
【００４０】
ガン本体保持部４２は、ガイド部７に摺動自在に嵌合される土台４２１と、土台４２１に対して左右方向に回転可能に取り付けられた連結台４２２とからなる。連結台４２２の上面にはライト保持部４１側に突出する第１接合板４２３が形成されている。土台４２１には、ガイド部７に嵌合する断面略Ｔ字状の凹部４２１ａが形成されており、ガン本体保持部４２は、ガイド部７に土台４２１の凹部４２１ａを嵌合させることで、ガン本体２に取り付けられている。
【００４１】
各固定板４１１ｂ，４１２ｂ及び各接合板４１１ｃ，４１２ｃ，４２３には、ボルト及びナットが貫通可能な孔が形成されている。ライト６は、一対の湾曲板４１１ａ，４１２ａの間にライト６の中央部６ｃを挟んだ状態で、一対の固定板４１１ｂ，４１２ｂをボルト４３ａ及びナット４４ａで固定すると共に、第２接合板４１１ｃ及び第３接合板４１２ｃをボルト４３ｂ及びナット４４ｂ（締結部材４５）で固定することで着脱自在に保持されている。この時、ライト保持部４１の第２接合板４１１ｃ及び第３接合板４１２ｃの間に、ガン本体保持部４２の第１接合板４２３を差し込んで、ボルト４３ｂ及びナット４４ｂで固定することで、ライト保持部４１とガン本体保持部４２とが連結されている。
【００４２】
以上のように、本実施形態によれば、第１実施形態と同様に、ライト６が操作部４の前方に取り付けられるため、被照射箇所との距離が縮まり、被照射箇所に十分な照度の光を照射することができる。また、ライト保持具４０を用いて、締結部材４５の締結を緩めることでライト６を取り外し可能に取り付けているため、ライト６の色を変えるために交換する場合や、ライト６が消耗して交換が必要となった場合等に、ライト保持具４０をガン本体２に取り付けたままライト６のみを交換することができる。さらに、ライト保持具４０は、ガイド部７上を前後方向に移動することができ、ライト保持具４０を介してライト６を前後方向に移動させることができる。これにより、高照度が要求される箇所では、ライト６を被照射箇所に近づけて、より明るい光を照射することができる。また、土台４２１と連結台４２２との間が左右方向に回転可能であり、ボルト４３ａ及びナット４４ａでライト保持部４１とガン本体保持部４２とを連結しているため、ライト６をガン本体２に対して上下方向に回転させることができる。これにより、ライト６を、圧縮エアーの放出方向の延長線に対して上下左右方向に回転させることができ、ライト６の照射箇所を微調整して被照射箇所にピンポイントで合わせることができる。また、ガン本体２の先端部２ａには、下面にもガイド部７が形成されているため、ライト保持具４０を下面のガイド部７に取り付けることで、ノズル３の下方から光を照射することができる。なお、このガイド部７は、ガン本体２の先端部２ａの上面及び下面に限られず任意の箇所に設けることができ、この場合、ノズル３の周囲のあらゆる箇所から光を照射することができる。また、ガイド部７はガン本体２から突出させて形成される必要はなく、ガン本体２に溝を設けることにより形成されても良い。この時、ガン本体保持部４２の土台４２１は、ガイド部７に嵌合可能な凸状に形成される。
【００４３】
以上、本考案の一実施形態について説明したが、本考案は、この実施形態に限定されるものではなく、その趣旨を逸脱しない限りにおいて、種々の変更が可能である。例えば、上記実施形態では、４個のタイプのライト保持具１０，２０，３０，４０を示したが、これに限られず、ガン本体２とライト６とを取り付けられれば種々の形態を取り得ることができる。さらに、ライト保持具１０，２０，３０，４０のライト保持部１１，２１，３１，４１とガン本体保持部１２，２２，３２，４２との連結も、任意の手段により連結することができる。この時、ライト６を上下左右方向に回転できる手段により連結することが好ましい。
【００４４】
また、上記実施形態では、ライト６はライト保持具１０，２０，３０，４０を介してガン本体２に取り付けられたが、必ずしもライト保持具１０，２０，３０，４０は必要でない。例えば、ライト６に取付部材が一体形成されている場合は、その取付部材を用いてガン本体２にライト６を取り付けることもできる。この時、取付部材は、本考案のガン本体保持部１２，２２，３２，４２と同様の形状であっても良いし、他の任意の形状とすることもできる。
【符号の説明】
【００４５】
１        スプレーガン
２        ガン本体
３        ノズル
４        操作部
６        ライト
７        ガイド部
８        照明器具
１０，２０，３０，４０  ライト保持具
１１，４１  ライト保持部
１２，４２  ガン本体保持部
４１１，４１２  保持部材
４１１ｃ  第２接合板
４１２ｃ  第３接合板
４２１    土台
４２２    連結台
４２３    第１接合板
４５      締結部材
【図２】
0003181086.tif 000003
【図３】
0003181086.tif 000004
【図９】
0003181086.tif 000005
【図１】
0003181086.tif 000006
【図４】
0003181086.tif 000007
【図５】
0003181086.tif 000008
【図６】
0003181086.tif 000009
【図７】
0003181086.tif 000010
【図８】
0003181086.tif 000011
【図１０】
0003181086.tif 000012
【図１１】
0003181086.tif 000013
【図１２】
0003181086.tif 000014